(57)【要約】  【課題】  吸引手段を用いてゴキブリ等の害虫を確実に吸引すると共に、吸引捕獲した前記害虫を確実に粘着して一括に廃棄容易とする粘着捕獲部材および害虫捕獲器を提供することである。【解決手段】  吸引手段２と粘着捕獲部材４と吸引端末５とを備え、前記吸引手段２に吸引するゴキブリ等の害虫を一時貯留する貯留部２０を設けると共に、前記貯留部２０から這い出してくる害虫を前記粘着捕獲部材４が捕獲する構成の害虫捕獲器１とし、前記粘着捕獲部材４が備える粘着部４３を、本体胴部内部の、吸引方向の所定長さの全周に亘って配設すると共に、前記粘着部４３の長さを、吸引手段２が有する貯留部２０から這い出してくるゴキブリ等の害虫を粘着捕獲可能な程度の長さとした。【選択図】    図１
0003114853.tif 000002
【実用新案登録請求の範囲】
【請求項１】
ゴキブリ等の害虫を収集する粘着部を備える本体胴部と、吸引物を一時貯留する貯留部を備える吸引手段に直接、または、前記吸引手段に連結される吸引ホースに接続可能な第一端と、前記吸引ホースあるいは吸引端末に接続可能な第二端とを備えて、前記吸引手段に着脱自在な粘着捕獲部材であって、
前記粘着部が、前記本体胴部内部の、吸引方向の所定長さの全周に亘って配設されていると共に、前記粘着部にもしくは粘着部近辺に、ゴキブリ等の害虫を誘き出す誘引剤を配設して、前記粘着部の長さを、前記貯留部から這い出してくるゴキブリ等の害虫を粘着捕獲可能な程度の長さとしたことを特徴とする粘着捕獲部材。
【請求項２】
前記粘着部がゴキブリ等の害虫を粘着可能な粘着剤を塗布した粘着シートであると共に、前記粘着剤に前記誘引剤を配合したことを特徴とする請求項１に記載の粘着捕獲部材。
【請求項３】
前記粘着部がゴキブリ等の害虫を粘着可能な粘着剤を塗布した粘着シートであると共に、前記粘着部の両側もしくは片方の端部に、前記誘引剤を塗布したことを特徴とする請求項１または２に記載の粘着捕獲部材。
【請求項４】
前記粘着部がゴキブリ等の害虫の殺虫成分を含有していることを特徴とする請求項１から３のいずれかに記載の粘着捕獲部材。
【請求項５】
請求項１から５のいずれかに記載に粘着捕獲部材と吸引手段と吸引端末とを備える害虫捕獲器であって、前記吸引手段にゴキブリ等の害虫を一時的に貯留する貯留部を設けると共に、前記粘着捕獲部材に前記貯留部に吸引したゴキブリ等の害虫を収集する構成としていることを特徴とする害虫捕獲器。
【請求項６】
前記貯留部に、ゴキブリ等の害虫が逃避する忌避剤を塗布していることを特徴とする請求項５に記載の害虫捕獲器。
【請求項７】
前記吸引手段が家庭電化製品の掃除機やハンドクリーナー等であって、前記吸引端末が円筒形パイプを斜めに切断した楕円形の吸引口を有していることを特徴とする請求項５または６に記載の害虫捕獲器。
【請求項８】
前記粘着捕獲部材の直後に前記貯留部を着脱自在に配設したことを特徴とする請求項５から７のいずれかに記載の害虫捕獲器。
【請求項９】
前記貯留部を、空気は通すがゴキブリ等の害虫は通さない紙パックを着脱自在に内蔵する連結アタッチメントで構成したことを特徴とする請求項８に記載の害虫捕獲器。
【考案の詳細な説明】
【技術分野】
【０００１】
本考案は、ゴキブリ等の害虫を捕獲する粘着捕獲部材および害虫捕獲器に関し、特に家庭内の害虫を手で触れずに捕獲して一括に廃棄可能な粘着捕獲部材および害虫捕獲器に関するものである。
【背景技術】
【０００２】
従来、ゴキブリを捕獲するためには、ゴキブリを誘い出す誘引剤を装着した粘着シートが用いられている。さらには、エサの中に殺虫成分を含有した毒薬風の誘引剤を用いる方法もある。
【０００３】
しかし、上記のような捕獲方法が一般化してきているので、最近では、昔のように人が手で掴んだり、丸めた新聞紙で叩き殺すことを嫌がったり、怖がったりする人が多くなってきている。
【０００４】
そのために、目の前に現れたゴキブリを手に触れずに捕獲するために、掃除機などの吸引手段を用いて捕獲するとしたゴキブリ捕獲用掃除機アタッチメントが既に出願されている（例えば特許文献１参照）。
【０００５】
また、接着剤の中に殺虫剤のごとき薬剤を混入しておくとしたゴキブリ捕獲器も既に出願されている（例えば、特許文献２参照）。
【特許文献１】特開平９−２０６２５０号公報（第１−４頁、第３図）
【特許文献２】実開昭６１−５４３７１号公報（第３頁）
【考案の開示】
【考案が解決しようとする課題】
【０００６】
単に吸引手段を用いてゴキブリ等の害虫を捕獲する場合では、捕獲した害虫をさらに廃棄する操作が必要である。そのために、一旦捕獲したゴキブリを別の廃棄用の袋に移し変えてことが必要となる。
【０００７】
また、吸引手段と共に粘着部を備える捕獲手段においては、吸引する害虫を貯留する部分、つまりネット状の部分に粘着部を設ける必要がある。そのために、吸引した害虫をその時に粘着できればよいが、うまく粘着できない場合は、一旦吸引した害虫が、吸引終了後に吸引ホースの方へ逃げ出すことがある。また、吸引した害虫が粘着部を覆うと、吸引するためのネット状部分が詰まってしまい、吸引力が大幅に低減してしまう。
【０００８】
さらに、吸引手段に設ける貯留袋に収納した害虫をその都度廃棄する方法では、繰り返し、同じ袋を使用することになり、気味が悪いと感じる人もいる。
【０００９】
本考案の目的は、上記問題点に鑑み、吸引手段を用いてゴキブリ等の害虫を確実に吸引すると共に、吸引捕獲した前記害虫を確実に粘着して一括に廃棄容易とする粘着捕獲部材および害虫捕獲器を提供することである。
【課題を解決するための手段】
【００１０】
上記の目的を達成するために請求項１に係る考案は、ゴキブリ等の害虫を収集する粘着部を備える本体胴部と、吸引物を一時貯留する貯留部を備える吸引手段に直接、または、前記吸引手段に連結される吸引ホースに接続可能な第一端と、前記吸引ホースあるいは吸引端末に接続可能な第二端とを備えて、前記吸引手段に着脱自在な粘着捕獲部材であって、前記粘着部が、前記本体胴部内部の、吸引方向の所定長さの全周に亘って配設されていると共に、前記粘着部にもしくは粘着部近辺に、ゴキブリ等の害虫を誘き出す誘引剤を配設して、前記粘着部の長さを、前記貯留部から這い出してくるゴキブリ等の害虫を粘着捕獲可能な程度の長さとしたことを特徴としている。
【００１１】
上記の構成を有する請求項１に係る考案によれば、吸引手段や吸引ホースに装着容易な粘着捕獲部材とすることができ、一旦吸引して貯留部に収集されたゴキブリ等の害虫が這い出してきても、ゴキブリ等の害虫を誘引して粘着部に確実に捕獲可能な粘着捕獲部材となるので、人が直接手で触らずに害虫を一括に捕獲することができる。
【００１２】
請求項２に係る考案は、前記粘着部がゴキブリ等の害虫を粘着可能な粘着剤を塗布した粘着シートであると共に、前記粘着剤に前記誘引剤を配合したことを特徴としている。
【００１３】
上記の構成を有する請求項２に係る考案によれば、一旦吸引したゴキブリを、誘引剤が配合された粘着部の方に誘い出すので、貯留部まで吸引したゴキブリでも、人手を介さずに前記粘着捕獲部材に収集することができる。
【００１４】
請求項３に係る考案は、前記粘着部がゴキブリ等の害虫を粘着可能な粘着剤を塗布した粘着シートであると共に、粘着部の両側もしくは片方の端部に、前記誘引剤を塗布したことを特徴としている。
【００１５】
上記の構成を有する請求項３に係る考案によれば、一旦吸引したゴキブリを、粘着部を備える粘着捕獲部材の方に誘い出すのに効果的な位置に誘引剤を設けることで、一旦吸引したゴキブリを、人手を介さずに前記粘着捕獲部材に確実に収集することができる。
【００１６】
請求項４に係る考案は、前記粘着部がゴキブリ等の害虫の殺虫成分を含有していることを特徴としている。
【００１７】
上記の構成を有する請求項４に係る考案によれば、粘着部に収集したゴキブリ等の害虫を速やかに殺虫するので、そのまま廃棄容易となる。
【００１８】
請求項５に係る考案は、請求項１から５のいずれかに記載に粘着捕獲部材と吸引手段と吸引端末とを備える害虫捕獲器であって、前記吸引手段にゴキブリ等の害虫を一時的に貯留する貯留部を設けると共に、前記粘着捕獲部材に前記貯留部に吸引したゴキブリ等の害虫を収集する構成としていることを特徴としている。
【００１９】
上記の構成を有する請求項５に係る考案によれば、一旦吸引して貯留部に収集されたゴキブリ等の害虫が外部に這い出してきても、粘着捕獲部材に配設される粘着部に確実に接触することになり、一旦吸引したゴキブリ等の害虫が害虫捕獲器から外部に這い出ることがない。
【００２０】
請求項６に係る考案は、前記貯留部に、ゴキブリ等の害虫が逃避する忌避剤を塗布していることを特徴としている。
【００２１】
上記の構成を有する請求項６に係る考案によれば、一旦貯留部に吸引したゴキブリ等の害虫が勝手に逃げ出して、粘着捕獲部材の方へ逃避するので、人手を介さずに前記粘着捕獲部材に効率よく確実に収集することができる。
【００２２】
請求項７に係る考案は、前記吸引手段が家庭電化製品の掃除機やハンドクリーナー等であって、前記吸引端末が円筒形パイプを斜めに切断した楕円形の吸引口を有していることを特徴としている。
【００２３】
上記の構成を有する請求項７に係る考案によれば、ゴキブリ等の害虫を捕獲する吸引手段を予め備えておく必要もなく、通常の家庭電化製品の吸引手段を用いて、人が直接手や指に触れずに収集廃棄可能な害虫捕獲器とすることができる。
【００２４】
請求項８に係る考案は、前記粘着捕獲部材の直後に前記貯留部を着脱自在に配設したことを特徴としている。
【００２５】
上記の構成を有する請求項８に係る考案によれば、一旦、貯留部に捕集したゴキブリ等の害虫が粘着捕獲部材へ移動することが容易となり、全ての害虫を粘着して捕獲容易となる。
【００２６】
請求項９に係る考案は、前記貯留部を、空気は通すがゴキブリ等の害虫は通さない紙パックを着脱自在に内蔵する連結アタッチメントで構成したことを特徴としている。
【００２７】
上記の構成を有する請求項９に係る考案によれば、ゴキブリのような大きな害虫に対しては目の粗く、ゴキブリに有効な忌避剤が塗布された紙パックを使用可能であり、蟻のような小さな害虫に対しては目の細かい紙パックを予め選択可能であり、吸引する害虫の種類に応じた紙パックに交換容易となる。
【考案の効果】
【００２８】
本考案によれば、粘着部の長さを、吸引手段が備える貯留部から這い出してくるゴキブリ等の害虫を粘着捕獲可能な程度の長さとした粘着捕獲部材を用いているので、一旦吸引した害虫を逃がさずに確実に粘着することができ、人が手や指に触れずに容易に収集可能である。さらに吸引したゴキブリ等の害虫を一括に収集して廃棄容易な害虫捕獲器を得ることができる。
【考案を実施するための最良の形態】
【００２９】
以下、本考案に係る粘着捕獲部材および害虫捕獲器の実施の形態について、図１から図６に基づいて詳細に説明する。
【００３０】
図１は本考案に係る害虫捕獲器の概要を示す概略全体図である。図２には本考案に係る粘着捕獲部材を示しており、（ａ）は粘着部のみを備える粘着捕獲部材の断面図であり、（ｂ）は粘着部の片方の端部に誘引剤を設けた例を示し、（ｃ）は粘着部の両側に誘引剤を設けた例を示している。図３は一般の掃除機に本考案に係る粘着捕獲部材を装着した例を示す概略説明図であり、(ａ)は専用の吸引端末を用いた例を示しており、(ｂ)は通常の吸引端末を用いた例を示している。図４は本考案に係る吸引端末の吸引口を示す斜視図であり、図５は粘着捕獲部材の直後に貯留部を配設した例を示す概略説明図である。図６は紙パックの装着例を示す断面図であり、（ａ）には円筒形状の紙パックを示し、（ｂ）には円錐形状の紙パックを装着したところを示している。
【００３１】
図１に示す害虫捕獲器１は、吸引手段２と吸引ホース３と粘着捕獲部材４と吸引端末５とを備えている。また、前記粘着捕獲部材４を前記吸引手段２に直接接続することも可能である。そのために、前記粘着捕獲部材４は、図２（ａ）に示すように、円筒状の本体胴部４０と接続端部となる第一端４１と第二端４２とを備えている。
【００３２】
前記第一端４１は、前記吸引手段２に直接、または、前記吸引ホース３に接続可能な接続端であり、前記第二端４２は、吸引ホース３あるいは吸引端末５に接続可能な接続端である。また、前記円筒状の本体胴部４０の内部にはゴキブリ等の害虫を捕獲するための粘着部４３が設けられている。
【００３３】
前記粘着部４３は、前記本体胴部４０内部の、吸引方向の所定長さの全周に亘って配設されていて、ゴキブリ等の害虫の通過場所に拘らずに、必ず粘着部４３の円周上のいずれかに接触する構成としている。
【００３４】
また、前記吸引手段２には、吸引するゴキブリ等の害虫を一時的に貯留する貯留部２０を設けている。前記害虫を吸引する際に、吸引経路の途中に配設されている前記粘着捕獲部材４に直接捕獲される場合もあれば、円筒状の本体胴部４０内の中央部分を挿通して吸引流と共に前記貯留部２０まで搬送される場合もある。
【００３５】
前記貯留部２０に吸引されるゴキブリ等の害虫は、ただ吸引されているだけなので、そのままの状態では死ぬことはなく、まだ動き回ることができる。そのために、一旦吸引したゴキブリ等の害虫が前記貯留部２０から這い出して、吸引ホース３から吸引端末５を経由して外に出てくる虞もある。
【００３６】
しかし、前記粘着部４３の長さＬを、前記貯留部２０から這い出してくるゴキブリ等の害虫を粘着捕獲可能な程度の長さとしておれば、前記粘着部４３に必ず付着するので、前記吸引端末５から外部に脱出することは不可能となり好適である。
【００３７】
そのために、前記粘着部４３の長さＬは１０ｃｍ以上が好ましく、また、２０ｃｍ程度の長さであれば粘着部の表面積が大きくなって複数回繰り返し使用可能となり、さらに好ましいといえる。
【００３８】
前記本体胴部４０は、ゴキブリ等の害虫を捕獲してそのまま廃棄容易とするために紙製のものが好ましい。しかし、低コストで制作できれば、生分解性プラスチックのような自然に分解可能なプラスチック製品であってもよい。また、その形状を円筒状としたが、三角形でも四角形でもよく、特に限定するものではない。ただ、前記本体胴部４０の内部の全周に亘って所定長さの粘着部４３を備えると共に、本体胴部両側に接続端部となる第一端４１と第二端４２とをそれぞれ備える構成であればよい。
【００３９】
前記貯留部２０に吸引したゴキブリ等の害虫をその都度まとめて廃棄することも可能であるが、通常このような害虫捕獲器１を用いる人は、ゴキブリ等の害虫を直接手や指で触ることはもちろん、目にすることを嫌っており、たとえ袋状の貯留部２０に捕獲した状態であっても、その貯留部２０を直接手で把持して、中身を廃棄する動作もなるべくは避けたいと思っている。
【００４０】
そのために、本実施の形態においては、前記粘着部４３を、ゴキブリ等の害虫を粘着可能な粘着剤を塗布した粘着シートとして、吸引したゴキブリ等の害虫を付着させて捕獲する構成としている。さらに、前記粘着剤に、ゴキブリを誘き出す誘引効果を有する誘引剤を配合しておくことができる。そうすると、一旦前記貯留部２０に吸引したゴキブリ等の害虫を前記粘着部４３まで誘き出すことができるので好適である。そのために、害虫捕獲器１で吸引した状態をしばらく放置（例えば一晩）しておくことで、貯留部２０に吸引したゴキブリ等の害虫を前記粘着捕獲部４まで誘引して収集し、捕獲することができる。
【００４１】
また、前記誘引剤を前記粘着部４３中に配合するのではなく、図２（ｂ）に示すように、第一端４１側にゴキブリ等の害虫を誘き出す臭いやエサ等の誘引成分を含有する誘引剤４４を塗布した粘着捕獲部材４Ａとしてもよく、さらに、図２（ｃ）に示すように、第一端４１側だけでなく、第二端４２側にも前記誘引剤４４を塗布して、粘着部４３の両側に誘引剤４４を備える粘着捕獲部材４Ｂとすることも可能である。
【００４２】
いずれの場合においても、一旦貯留部２０に吸引捕獲した後で動き出すゴキブリ等の害虫は、前記誘引剤４４に釣られて前記粘着捕獲部材の方に這い出して、粘着部４３に付着して捕獲されることになる。
【００４３】
また、捕獲する害虫や粘着剤の種類や誘引剤の種類によっても、また、前記誘引剤の配設位置等によっても、害虫の粘着効率が変化する。そのために、一旦吸引したゴキブリ等の害虫を、粘着部を備える粘着捕獲部材の方に誘い出すのに効果的な位置に、効果的な誘引剤を選定して設けることで、一旦吸引したゴキブリを、人手を介さずに前記粘着捕獲部材４（４Ａ、４Ｂ）に確実に収集することができる。
【００４４】
上記のように、本体胴部４０内に誘引剤を配設することで、一旦前記貯留部２０に吸引したゴキブリ等の害虫を前記粘着部４３に誘引して捕獲することができる。さらには、吸引状態でなくとも誘引剤の誘引効果により、吸引端末５の外部から前記粘着捕獲部材４の方に誘引することになり、貯留部２０内のゴキブリだけでなく、吸引端末５の方から浸入してくるゴキブリをも捕獲する効果も期待できる。
【００４５】
ゴキブリ等の害虫を粘着部４３に付着させた状態でそのまま一括に廃棄することは容易である。しかし、粘着部４３に付着したゴキブリ等がまだ生きており、触覚や足等が動いている状態ではそのまま廃棄することを嫌う人もいる。そのために、ゴキブリの殺虫成分を含有する粘着部４３とすれば、粘着部４３に収集したゴキブリ等の害虫を速やかに殺虫することができるので、そのまま廃棄容易となりさらに好ましい。
【００４６】
粘着部４３にゴキブリ等が付着した状態であるので、前記殺虫成分としては、速効性であっても遅効性であっても構わない。ただ、吸引捕獲後に速やかに廃棄したい場合には速効性の殺虫成分の方が好ましい。
【００４７】
さらに、前記貯留部２０に、ゴキブリ等の害虫が逃避する忌避剤を塗布しておくと、一旦貯留部２０に吸引したゴキブリ等の害虫が勝手に逃げ出して、粘着捕獲部材４（４Ａ、４Ｂ）の方へ逃避することになる。そのために、上記の構成であれば、本考案に係る害虫捕獲器１を用いて吸引捕獲した後しばらく放置しておくだけで、人手を介さずに前記粘着捕獲部材４（４Ａ、４Ｂ）に効率よく確実に収集することができ好適である。
【００４８】
また、貯留部２０に一旦吸引したゴキブリ等の害虫が積極的に逃避する構成であれば通常の家庭用の電気掃除機を吸引手段として利用しても、吸引したゴキブリ等の害虫が前記貯留部２０に留まらずに、全て前記粘着捕獲部材４に一括に収集することができる。
【００４９】
そのために、図３（ａ）に示すように、通常の電気掃除機１０の吸引ホース１１に、前記粘着捕獲部材４を装着してゴキブリ等の害虫を吸引捕獲しても、しばらく放置した後で、前記粘着捕獲部材４を廃棄することで、前記害虫を手で触ることなく一括に収集して廃棄することができる。
【００５０】
つまり、電気掃除機やハンドクリーナー等の通常の家庭電化製品の吸引手段を用いて、人が直接手や指に触れずに収集して廃棄可能な害虫捕獲器とすることができる。そのために、ゴキブリ等の害虫を捕獲する専用の吸引手段を予め備えておく必要もなく、粘着捕獲部材４と吸引端末５を前記吸引ホース１１に接続するだけで、害虫捕獲器を構成することができる。
【００５１】
また、図３（ｂ）に示すように吸引端末として、通常の電気掃除機１０に装備されている吸引端末１２をそのまま用いることも可能である。しかし、通常の吸引端末１２をそのまま使用することが嫌な場合は、図４に示すような、円筒形パイプを斜めに切断した楕円形の吸引口５Ａを有する専用の吸引端末５を用いて、ゴキブリ等の大型の家庭内害虫を容易に吸引することができる。また、吸引口５Ａが所定の大きさであれば、ゴキブリ等の、わりと大型な家庭内害虫を捕獲する際に、害虫の向きや姿勢に拘らずに、最短距離にて前記吸引端末５を接近させることができ、より確実に捕獲することができる。
【００５２】
通常の電気掃除機を用いて吸引ホースの先に本考案に係る粘着捕獲部材を装着する方法では、一旦吸引したゴキブリ等の害虫が前記粘着捕獲部材まで移動することは困難である。そのために、図５に示すように、吸引端末５に接続された粘着捕獲部材４の直後に貯留部２０Ａを配設する構成として、一旦、前記貯留部２０Ａに収集した害虫が前記粘着捕獲部材４に移動し易くすることができる。
【００５３】
また、前記貯留部２０Ａは、空気は通すがゴキブリ等の害虫は通さないフィルター状の紙パック７を着脱自在に内蔵する連結アタッチメント６で構成することが好ましい。そのためには、前記連結アタッチメント６本体を、嵌め込み式またはねじ込み式の分割構成とすればよく、その構成を特に限定するものではない。
【００５４】
上記の構成であれば、ゴキブリのような大きな害虫に対しては目の粗く、ゴキブリに有効な忌避剤が塗布された紙パックを選択して使用可能であり、蟻のような小さな害虫に対しては目の細かい紙パックを予め選択可能であり、吸引する害虫の種類に応じた紙パックに容易に交換することができる。
【００５５】
前記貯留部２０Ａは、連結アタッチメント６の連結端６Ａ、６Ｂを介して粘着捕獲部材４や吸引ホース１１に着脱自在な構成とされているので、ゴキブリ等の害虫を吸引する際にのみ装着することも容易であり、通常の家庭用の電気掃除機１０をそのまま害虫捕獲器として使用することができる。
【００５６】
紙パック７は、図６（ａ）に示すように、前記連結アタッチメント６にすっぽり嵌まり込む程度の円筒形状の紙パック７Ａでもよく、また、図６（ｂ）に示すような、底がすぼまった円錐形状の紙パック７Ｂとしてもよい。
【００５７】
上記の円錐形状の紙パック７Ｂを用いると、特に蟻等の小さな害虫を吸引する際に、吸引した害虫８が円錐状底部に集中して収集され、紙パック７Ｂの円錐状胴部には堆積しないので、図中の矢印方向の吸引力が維持されることになり、長い時間吸引力が低下しない。そのために、害虫の吸引時間を長くすることが可能となり好適である。
【００５８】
前記紙パック７Ａおよび７Ｂは、嵌め込み構成もしくはねじ込み構成の前記連結アタッチメント６に着脱自在であるので、吸引捕集する害虫に応じて、円筒形状の紙パック７Ａもしくは円錐形状の紙パック７Ｂを選択して装着することができる。
【００５９】
また、紙パックを備える連結アタッチメント６は粘着捕獲部材４の直後に配設されているので、一旦吸引して収集したゴキブリや蟻等の害虫が、紙パック（７、７Ａ、７Ｂ）から逃げ出しても、すぐに前記粘着捕獲部材４に至り粘着捕集される構成である。
【００６０】
上記したように本考案によれば、吸引ホースや掃除機等に装着容易であり、吸引したゴキブリ等の害虫を一時貯留する貯留部から前記害虫が這い出しても、這い出してくる害虫を粘着して捕獲する粘着部を有する粘着捕獲部材を用いているので、一旦吸引した害虫を逃がさずに確実に粘着することができる。そのために、人が手や指に触れずに、ゴキブリ等の害虫を容易に収集可能であり、さらに一括に廃棄容易な害虫捕獲器を得ることができる。
【図面の簡単な説明】
【００６１】
【図１】本考案に係る害虫捕獲器の全体構成を示す側面図である。
【図２】本考案に係る粘着捕獲部材を示しており、（ａ）は粘着部のみを有する粘着捕獲部材であり、（ｂ）は粘着部の片方の端部に誘引剤を有する粘着捕獲部材であり、（ｃ）は粘着部の両側の端部にそれぞれ誘引剤を有する粘着捕獲部材である。
【図３】一般の掃除機に本考案に係る粘着捕獲部材を装着した例を示す概略説明図であり、(ａ)は専用の吸引端末を用いた例を示し、(ｂ)は通常の吸引端末を用いた例を示している。
【図４】本考案に係る吸引端末の吸引口を示す斜視図である。
【図５】粘着捕獲部材の直後に貯留部を配設した例を示す概略説明図である。
【図６】紙パックの装着例を示す断面図であり、（ａ）には円筒形状の紙パックを示し、（ｂ）には円錐形状の紙パックを装着したところ示している。
【符号の説明】
【００６２】
１  害虫捕獲器
２  吸引手段
３  吸引ホース
４、４Ａ、４Ｂ  粘着捕獲部材
５  吸引端末
５Ａ  吸引口
６  連結アタッチメント
７、７Ａ、７Ｂ  紙パック
２０  貯留部
４０  本体胴部
４１  第一端
４２  第二端
４３  粘着部
４４  誘引剤
【図１】
0003114853.tif 000003
【図２】
0003114853.tif 000004
【図３】
0003114853.tif 000005
【図４】
0003114853.tif 000006
【図５】
0003114853.tif 000007
【図６】
0003114853.tif 000008